(57)【特許請求の範囲】
【請求項１】
水平方向に拡張し上下方向に沿って配列される複数段の棚板と、
棚板の外側端よりも内側方に位置し上下に対向する両棚板に接続する立壁と、
棚板に穿たれ棚板を上下方向に貫通する配線孔と、
立壁に設けられ上下方向に延伸し棚板の配線孔に連通する配線空間とを具備し、
各段の立壁の上端部が、その直上に載置される各段の棚板の下面に当接してこれを下方から支持しており、
各段の立壁が、その側面に上下方向に延伸し側方に開放した凹む溝状の配線空間を有し、
各段の棚板の配線孔が、当該棚板から起立する各段の立壁の下端部近傍に位置し、同立壁内の配線空間に連通し、かつ当該棚板の下方に位置する立壁内の配線空間に連通しており、各段の配線孔及び各段の配線空間が上下方向に沿って一貫して連続している棚。
【請求項２】
立壁が、配線空間を有する基体と、基体に装着されてその配線空間を遮蔽するカバーとを備え、
基体にカバーが装着された状態で、棚板の配線孔の少なくとも一部が棚板の上面側及び下面側に露出する請求項１記載の棚。
【請求項３】
立壁が、配線空間を有する基体と、基体に装着されてその配線空間を遮蔽するカバーとを備え、
基体とカバーとのうち少なくとも一方がスチール製であり、
基体とカバーとの間に介在するマグネットによりカバーを基体に装着する請求項１または２記載の棚。
【請求項４】
棚板の上面側または下面側の何れかに立壁が固定されたユニットが複数段積み上げられたものであって、
ユニット間が脱着自在である請求項１、２または３記載の棚。
【発明の詳細な説明】
【技術分野】
【０００１】
本発明は、上下方向に沿って複数段の棚板が配列され、棚板上に各種物品を載置することが可能な棚に関する。
【背景技術】
【０００２】
一般に、この種の棚では、左右に設立した側板または四方に設立した支柱の内側に棚受を固定し、その棚受に棚板を支持させることで、側板間または支柱間に棚板を架け渡している（例えば、下記非特許文献を参照）。必然的に、側板または支柱が棚板の外側端よりも外側に位置する、つまりは棚板が側板または支柱よりも内側にある。
【先行技術文献】
【非特許文献】
【０００３】
【非特許文献１】“棚類・工場用什器”，コクヨ総合カタログ２０１５年版ファニチャー編，コクヨ株式会社，平成２６年１２月，ｐ．５７２−５９７
【発明の概要】
【発明が解決しようとする課題】
【０００４】
本発明は、棚板上に載せ置かれる機器に接続する給電コードや通信ケーブル等のコード類を好適に配線できる棚を提供することを所期の目的としている。
【課題を解決するための手段】
【０００５】
本発明では、水平方向に拡張し上下方向に沿って配列される複数段の棚板と、棚板の外側端よりも内側方に位置し上下に対向する両棚板に接続する立壁と、棚板に穿たれ棚板を上下方向に貫通する配線孔と、立壁に設けられ上下方向に延伸し棚板の配線孔に連通する配線空間とを具備し、各段の立壁の上端部が、その直上に載置される各段の棚板の下面に当接してこれを下方から支持しており、各段の立壁が、その側面に上下方向に延伸し側方に開放した凹む溝状の配線空間を有し、各段の棚板の配線孔が、当該棚板から起立する各段の立壁の下端部近傍に位置し、同立壁内の配線空間に連通し、かつ当該棚板の下方に位置する立壁内の配線空間に連通しており、各段の配線孔及び各段の配線空間が上下方向に沿って一貫して連続している棚を構成した。
【０００６】
立壁が、配線空間を有する基体と、基体に装着されてその配線空間を遮蔽するカバーとを備えており、基体にカバーが装着された状態で、棚板の配線孔の少なくとも一部が棚板の上面側及び下面側に露出するものとすれば、棚板上に載置した機器に接続するコード類を配線孔を介して配線空間内に配置することがより容易となる。
【０００７】
また、立壁が、配線空間を有する基体と、基体に装着されてその配線空間を遮蔽するカバーとを備えている場合において、基体とカバーとのうち少なくとも一方がスチール製であり、基体とカバーとの間に介在するマグネットによりカバーを基体に装着するものとすれば、カバーの基体に対する着脱を簡単に行い得る。
【０００８】
棚板の上面側または下面側の何れかに立壁が固定されたユニットが複数段積み上げられたものであり、ユニット間が脱着自在であるならば、棚全体の構造、例えば棚板の段数を任意に組み替えることができるフレキシブルな棚となる。
【発明の効果】
【０００９】
本発明によれば、棚板上に載せ置かれる機器に接続するコード類を好適に配線可能な棚を実現することができる。
【図面の簡単な説明】
【００１０】
【図１】本発明の一実施形態の棚を示す正面図。
【図２】同実施形態の棚の斜視図。
【図３】同実施形態の棚をユニット単位に分解した状態を示す斜視図。
【図４】同実施形態の棚の要部を拡大した斜視図。
【図５】同実施形態の棚のユニット同士を連結するノックダウン金具の斜視図。
【図６】同実施形態の棚のユニット同士を連結する手法を説明する要部を拡大した側断面図。
【図７】同実施形態の棚の要部を拡大した平断面図。
【図８】同実施形態の棚の要部を拡大した正断面図。
【図９】同実施形態の棚の要部を拡大した斜視図。
【図１０】本発明の変形例に係る棚をユニット単位に分解した状態を示す斜視図。
【発明を実施するための形態】
【００１１】
本発明の一実施形態を、図面を参照して説明する。図１及び図２に示す本実施形態の棚は、水平方向に拡張した棚板２、３、４を上下方向に沿って複数段配列するとともに、上下に対向する各棚板２、３、４間に上下方向に伸長する立壁５、６、７を配してなるものである。立壁５、６、７は、棚板２、３、４の外側端よりも内側方に位置し、その上端部及び下端部が上下の棚板２、３、４にそれぞれ連接する。各段の棚板２、３、４の左右両側部は、各立壁５の外側面よりも外側方に突出している。
【００１２】
図３に示しているように、本実施形態の棚は、最上段の棚板である天板２を除き、棚板３、４の上面側に立壁５、６、７を固定してそれら棚板３、４及び立壁５、６、７をユニット化し、当該ユニット１を複数段積み上げることで構築する。各段のユニット１の要素となる立壁は、少なくとも左右に離間して対をなす側壁５を含む。側壁５は、左右方向を向き上下及び前後方向に拡張した板状体である。既に述べた通り、側壁５の外側面は、棚板２、３、４の外側端縁よりも内側方にある。
【００１３】
ユニット１には、立壁５、６、７として、側壁５に加えて、後壁６や前壁７を設けることがある。後壁６は、前後方向を向き上下及び左右方向に拡張した板状体である。後壁６は棚板３、４の後端縁の近傍に立設しているが、後壁６の後向面は棚板の後端縁よりも前方に位置する。前壁７もまた、前後方向を向き上下及び左右方向に拡張した板状体である。前壁７は棚板３、４の前端縁の近傍に立設しているが、前壁７の前向面は棚板の前端縁よりも後方に位置する。なお、側壁５の後部と後壁６の外側部とが連続し、または側壁５の前部と前壁７の外側部とが連続して、それらが平面視略Ｌ字形をなすように一体化していることがある。
【００１４】
後壁６または前壁７が、単体で棚板３、４上の左右の側壁５間の空間領域の全部を後方から閉塞するとは限らない。図１及び図３に示しているように、後壁６や前壁７の左右方向に沿った幅寸法が左右の側壁５の内法の半分程度である場合、左右の側壁５間の空間領域の一部即ち右半部または左半部が前後両方向に開通することとなる。そして、使用者は、前後両方からこの棚（の棚板２、３、４上の収納空間）にアクセスすることができる。
【００１５】
一つのユニット１を構成する棚板３、４と立壁５、６、７とは、通常の使用により分離することはない。立壁５、６即ち側壁５、後壁６及び前壁７の下端部は、その直下にあって同一のユニット１を構成する棚板３、４の上面から脱離しないよう、ダボ及び接着剤、ビス等を用いて棚板３、４に固着してある。
【００１６】
なお、棚の最上位に配される天板２は、それ単独で棚の最上段のユニット１を構成する。即ち、天板２の上方には立壁５、６、７を配設しない。天板２の上面側には、室内の間接照明用の照明装置Ｌ等を設置するための凹陥２１を成形してある。凹陥２１は、上方に開放し下方に凹んでおり、後述する配線孔１１がこの凹陥２１内に開口している。
【００１７】
また、棚の最下位に配される棚板４の下方には、幅木４３を設けている。幅木４３は、最下位の棚板４の下方にある空間１３を囲繞する平面視四方枠状をなす。本実施形態では、最下位の棚板４と幅木４３とを一体に成形しており、これらがちょうど下方に開放した筐体状の部材を構成する。最下位の棚板４における、左右の側壁５の間の領域には、当該棚板４を上下に貫通するスロット４１を穿ち設けている。スロット４１は、最下位の棚板４の下方の空間１３にコード類ＣやＡＣ／ＤＣアダプタ、ネットワーク用のハブ（スイッチ）等の機器を設置するための出し入れ口となる。棚としての使用時には、蓋体４２を装着してこのスロット４１を閉塞することができる。
【００１８】
加えて、幅木４３の所定箇所に、幅木４３を貫通し最下位の棚板４の下方にある空間１３を外方に連通せしめる連通孔４４を穿ってあれば、この連通孔４４をコード類Ｃの配線に利用することができる。尤も、図１に示しているように、棚板４または幅木４３に脚（または、アジャスタ４５）を取り付けることで、幅木４３の下縁を床面から浮いた状態に支持させている、換言すれば幅木４３の下縁と床面との間に（例えば、１３ｍｍ程度の）隙間を形成しているため、この隙間を通じてコード類Ｃを外部から空間１３内に導き入れることも可能である。よって、幅木４３に連通孔４４が設けられていなくともよい。
【００１９】
しかして、各段のユニット１の棚板３、４の上面から起立する側壁５、後壁６及び前壁７の上端部は、その直上に載置される他のユニット１の棚板２、３の下面に当接して、これを下方から支持する。あるユニット１と、その上方に積載される他のユニット１とは、使用者の任意に脱着することが可能である。
【００２０】
より具体的に述べると、本実施形態では、ミニフィックス（Ｍｉｎｉｆｉｘは国際登録された商標）という商品名で市場に流通している既製のノックダウン金具８を使用して、あるユニット１の立壁５、６、７（側壁５、後壁６及び前壁７）の上端部と、他のユニット１の棚板２、３とを連結している。図４ないし図６に示すように、このノックダウン金具８は、連結ボルト８１と、連結ボルト８１と結合するケーシング８２との組である。連結ボルト８１は、その先端側に球状または半球状の外形をなす頭部８１１、及び頭部８１１に連なり頭部８１１よりも径の細い首部８１２を成形した棒状の部品である。連結ボルト８１の基端側には、雄ねじ８１３を切ってある。
【００２１】
ケーシング８２は、軸心まわりの回転方向に沿って弧を描くように延出する一対の腕部８２１を有した部品である。それら一対の腕部８２１の軸心方向に沿った離間距離は、連結ボルト８１の頭部８１１の径よりも狭く、首部８１２の径に略等しい。
【００２２】
立壁５、６、７の上端部と棚板２、３とを連結するに際しては、まず、棚板２、３の下面側に予め形成してある雌ねじ穴９１に連結ボルト８１の基端側の雄ねじ８１３を螺合させ、棚板２、３に連結ボルト８１を固定する。この連結ボルト８１は、棚板２、３の下面から下方に突出し、その先端側の頭部８１１が下を向いた姿勢をとる。
【００２３】
他方、立壁５、６、７の上端部には、その上端面に開口し下方に向かって延伸した軸穴９２と、その内面（側壁５の内側面及び後壁６の前向面）に開口し軸穴９２の下端部位と交差して軸穴９２に連通するケーシング穴９３とを穿ってある。その上で、図６（Ａ）に示すように、ケーシング８２をケーシング穴９３に挿入して、腕部８２１の先端側が上方を向くようにケーシング穴９３内に配置した後、棚板２、３に固定した連結ボルト８１を軸穴９２に上方から挿入する。さすれば、連結ボルト８１の頭部８１１がケーシング８２における一対の腕部８２１の先端部よりも下方に深く進入し、連結ボルト８１の首部８１２がケーシング８２の腕部８２１の間であって腕部８２１の先端付近に位置づけられる。
【００２４】
この状態で、図６（Ｂ）に示すように、ケーシング８２をケーシング８２孔内で軸心回りに回転操作することにより、対をなす腕部８２１間に連結ボルト８１の首部８１２が差し入り、かつ腕部８２１の基端近傍の部位が連結ボルト８１の首部８１２に食い込むように係合して、連結ボルト８１の頭部８１１を下方に引き込む。結果として、あるユニット１の立壁５、６、７と、その直上にある他のユニット１の棚板２、３とが強固に連結される。
【００２５】
上下に積み重なる各段のユニット１同士をノックダウン金具８を以て結合すれば、図１及び図２に示しているような棚の構造が完成する。この棚を各段のユニット１単位に分解したいときには、上記と逆の手順を踏めばよい。即ち、ケーシング８２をケーシング８２孔内で軸心回りに逆方向に回転操作し、腕部８２１と連結ボルト８１の首部８１２との係合を解除しつつ、腕部８２１の先端側を上方に向ける。しかる後、棚板２、３をその直下にある立壁５、６、７の上端部から離反させるように持ち上げ、軸穴９２に挿入していた連結ボルト８１を軸穴９２から抜出する。
【００２６】
本実施形態にあって、各段のユニット１の棚板２、３、４には、上下に貫通した配線孔１１を穿ち設けている。配線孔１１は、ユニット１の左右の側壁５と同様、左右に離間して一対存在している。各配線孔１１は、各側壁５の下端部の近傍に位置しており、側壁５内に設けている配線空間１２に連通する。
【００２７】
図４、図７ないし図９に示すように、各段のユニット１の側壁５は、当該側壁５の外郭を構成するとともに配線空間１２を包有する基体５１と、基体５１に対して着脱可能であり配線空間１２を遮蔽ないし隠蔽するためのカバー５２とを備えている。配線空間１２は、基体５１の内側面側にあって、内側方に開放し外側方に凹む溝状をなす。そして、この配線空間１２は、基体５１の上端面及び下端面の双方に開口している。また、基体５１の内側面側における、配線空間１２から前方及び後方に偏倚した箇所にそれぞれ、カバー５２を取り付けるためのマグネット５３を予め固定してある。
【００２８】
カバー５２は、基体５１の内側面に設けたマグネット５３に付着する強磁性体であるスチール製の薄板を主体とする。カバー５２の外表面には、装飾のためのクロスやメラミン化粧板等の装飾材を貼ることがある。
【００２９】
先に述べた軸穴９２及びケーシング穴９３は、基体５１に形成している。図２及び図３に示すように、カバー５２を基体５１に装着した状態では、基体５１の内側面に開口するケーシング穴９３がカバー５２により隠蔽される。
【００３０】
因みに、後壁６及び前壁７もまた、側壁５と同様、基体及びカバーを備えており、後壁６の基体の前向面や前壁７の基体の後向面に予めマグネットを固定して、カバーを基体に対して着脱可能としている。その基体には、軸穴９２及びケーシング穴９３を形成してあり、基体にカバーを装着した状態で、後壁６の基体の前向面や前壁７の基体の後向面に開口するケーシング穴９３がカバーにより隠蔽される。
【００３１】
図７及び図８に示しているように、各段の棚板２、３、４に設けた配線孔１１は、当該棚板２、３、４から起立する側壁５内の配線空間１２に連通し、かつ当該棚板２、３、４の下方に位置する側壁５内の配線空間１２に連通する。従って、各段のユニット１の配線孔１１及び配線空間１２が、上下方向に沿って一貫して連続することになり、これら配線孔１１及び配線空間１２を利用してコード類Ｃを配線することが可能である。例えば、図１に示しているように、天板２上に室内の間接照明のための照明装置Ｌを設置する場合において、その照明装置Ｌに接続するコード類Ｃを、配線孔１１及び配線空間１２を通じて最下位の棚板４の下方の空間１３まで導くことができる。
【００３２】
さらに、図１、図８及び図９に示しているように、天板２上に設置した照明装置Ｌまたはその他の機器に対する給電のＯＮ／ＯＦＦを切り換えるためのスイッチ（タンブラスイッチ）Ｓを、特定のユニット１に設けることもできる。このスイッチＳは、当該ユニット１の側壁５のすぐ内側にあって、前方に表出している。スイッチＳを支持する支持体５４は、例えば、外側方に開口したチャネル状をなし、その内部空間が側壁５の配線空間１２に連通している。これにより、支持体５４に支持させたスイッチＳに接続するコード類Ｃを、支持体５４の内部空間から配線空間１２及び配線孔１１へと導き入れることができる。支持体５４は、隣接する側壁５の基体５１の内側面に、あるいは支持体５４の直上に所在する棚板２、３の下面に、ビスを使用するか溶接する等によって固定する。
【００３３】
図２、図３、図７及び図８に示すように、側壁５の基体５１にカバー５２を装着して配線空間１２を遮蔽した状態で、各段のユニット１の棚板２、３、４に設けた配線孔１１は、その少なくとも一部が棚板２、３、４の上面側及び下面側に露出する。よって、各段の棚板２、３、４上に載置する機器に接続するコード類Ｃを、その棚板２、３、４に設けた配線孔１１に導くことが容易である。
【００３４】
本実施形態では、水平方向に拡張し上下方向に沿って配列される複数段の棚板２、３、４と、棚板２、３、４の外側端よりも内側方に位置し上下に対向する両棚板２、３、４に接続する立壁５、６、７と、棚板２、３、４に穿たれ棚板２、３、４を上下方向に貫通する配線孔１１と、立壁５に設けられ上下方向に延伸し棚板２、３、４の配線孔１１に連通する配線空間１２とを具備する棚を構成した。
【００３５】
本実施形態によれば、各段の棚板２、３、４の外側端部が立壁即ち側壁５よりも外側方に延出した、斬新でありながら家具としての格調高い美観を備えた棚を実現できる上、棚板２、３、４上に載せ置かれる機器に接続するコード類Ｃを好適に配線することが可能となる。
【００３６】
立壁５が、上下方向に延伸したチャネル状の配線空間１２を有する基体５１と、基体５１に装着されてその配線空間１２を遮蔽するカバー５２とを備えており、基体５１にカバー５２が装着された状態で、棚板２、３、４の配線孔１１の少なくとも一部が棚板２、３、４の上面側及び下面側に露出するものであるため、棚板２、３、４上に載置した機器に接続するコード類Ｃを配線孔１１を介して配線空間１２内に配置することがより容易となる。
【００３７】
また、カバー５２がスチール製であり、基体５１とカバー５２との間に介在するマグネット５３によりカバー５２を基体５１に装着するものとしており、カバー５２の基体５１に対する着脱を簡単に行い得る。
【００３８】
本実施形態の棚は、一枚の棚板３、４の上面側に立壁５、６、７が固定されたユニット１が複数段積み上げられたものであり、ユニット１間が脱着自在であるため、棚全体の構造、例えば棚板２、３、４の段数を任意に組み替えることができるフレキシブル性を発揮し得る。
【００３９】
なお、本発明は以上に詳述した実施形態に限られるものではない。例えば、上記実施形態では、配線空間１２を側壁５の基体５１の内側面側に設け、その基体５１に内側面側からカバー５２を装着して配線空間１２を隠蔽するようにしていたが、側壁の基体の外側面側に配線空間を設け、その基体に外側面側からカバーを装着して配線空間を隠蔽するようにしてもよい。
【００４０】
さらには、配線空間を、後壁及び／または前壁に設けても構わない。この場合、棚板における、後壁及び／または前壁の近傍であって当該配線空間と連通する箇所に、配線孔を穿ち設ける。
【００４１】
上記実施形態では、棚板３、４と、当該棚板３、４の上方にあって棚板の上面から立ち上がる立壁５、６、７とを分離不能に一体化してユニット１を構築していたが、棚板と、当該棚板の下方にあって棚板の下面から垂下する立壁とを分離不能に一体化してユニットを構築することも考えられる。この場合には、あるユニットの棚板と、その直上に載置される他のユニットの立壁の下端部とを、例えば上記実施形態におけるものと同様のノックダウン金具８を使用して連結する。そのために、棚板の上面側に連結ボルト８１固定用の雌ねじ穴を形成するとともに、立壁の下端部に連結ボルト８１挿入用の軸穴及びケーシング８２配置用のケーシング穴を形成することになる。
【００４２】
上記実施形態では、配線空間１２を包有する基体５１にマグネット５３を固定し、そのマグネット５３に付着するスチール製のカバー５２を脱着自在としていたが、基体をスチール製とするとともに、カバーの内面に予めマグネットを固定しておき、マグネットを基体に付着させることでカバーの基体に対する装着を実現してもよい。あるいは、基体及びカバーの双方がスチール製であっても構わない。
【００４３】
立壁の基体にカバーを取り付けるための手段は、マグネットには限定されない。例えば、カバーに設けたフックまたは爪により当該カバーを基体に掛け止めるようにしてもよいし、倹飩式の取付構造によりカバーを基体に装着するようにしてもよい。基体とカバーとの間にいわゆるドアキャッチを介在させ、ドアキャッチによりカバーを基体に装着することも考えられる。
【００４４】
上記実施形態では、一枚即ち一段の棚板２、３、４毎に一個のユニット１を構成していたが、図１０に示すように、複数枚即ち複数段の棚板２、３、４に立壁５、６、７を固定して一個のユニット１を構成し、そのようなユニット１同士をノックダウン金具８を介して相互に連結する態様をとることも考えられる。図１０に示している例では、四枚の棚板２、３即ち上三段分を一個のユニット１としつつ、二枚の棚板３、４即ち下二段分を一個のユニット１として、両ユニット１間を脱着自在としている。但し、各ユニット１の棚板２、３、４の枚数（段数）はこれに限定されず、例えば、上方のユニット１について、棚板２、３の枚数を三枚（二段分）または二枚（一段分）に減じてもよい。そして、上方のユニット１における最下位の棚板３の下面側には雌ねじ穴９１を形成し、下方のユニット１における最上位の立壁５、６、７の上端部には軸穴９２及びケーシング穴９３を形成しておくことは言うまでもない。また、上方のユニット１を構成する棚板２、３と立壁５、６、７とは、ダボ及び接着剤、ビス等を用いて互いに固着しており、通常の使用により分離することはない。同様に、下方のユニット１を構成する棚板２、３と立壁５、６、７とは、ダボ及び接着剤、ビス等を用いて互いに固着しており、通常の使用により分離することはない。
【００４５】
その他各部の具体的構成は、本発明の趣旨を逸脱しない範囲で種々変形が可能である。
【産業上の利用可能性】
【００４６】
本発明は、上下方向に沿って複数段の棚板が配列される棚の構造に適用できる。
【符号の説明】
【００４７】
１…ユニット
１１…配線孔
１２…配線空間
２、３、４…棚板
５…立壁（側壁）
５１…基体
５２…カバー
５３…マグネット
【図１】
0006682825.tif 000002
【図２】
0006682825.tif 000003
【図３】
0006682825.tif 000004
【図４】
0006682825.tif 000005
【図５】
0006682825.tif 000006
【図６】
0006682825.tif 000007
【図７】
0006682825.tif 000008
【図８】
0006682825.tif 000009
【図９】
0006682825.tif 000010
【図１０】
0006682825.tif 000011